(57)【特許請求の範囲】
【請求項１】
観音扉が設けられたコンテナの扉ロック装置であって、
前記観音扉を構成する一対の扉の少なくとも一方に、回転自在に取り付けられたロックロッドと、該ロックロッドの端部に設けられ、該ロックロッドの回転位相に応じてコンテナ本体側に設けられた留め環に対し係合するカムと、該カムが前記留め環に係合するための回転位相に前記ロックロッドを保持するロックハンドルと、前記一対の扉を正規の閉扉状態に保持する閉扉保持具とを含み、
該閉扉保持具は、前記一対の扉の一方の端辺から他方の扉まで延びる留め板と、前記他方の扉に設けられたブラケットと、該ブラケットに対し着脱自在、かつ、該ブラケットに対する装着状態において、前記留め板を扉の外側方向から抑え付ける留めピンとを含み、
前記ロックロッドに、前記カムが前記留め環に対して非係合の状態で、前記ロックロッドの回転位相が、前記カムと前記留め環とが係合するための位置に保持されたとき、前記ブラケットに対する前記留めピンの装着を前記留め板が阻止する位置となるように、前記留め板を備える扉の開扉角度を矯正する矯正手段を設けたことを特徴とするコンテナの扉ロック装置。
【請求項２】
前記矯正手段は、前記カム及び前記留め環が互いに非係合の状態で、前記ロックロッドの回転位相が、前記ロックハンドルによって前記カムと前記留め環とが係合するための位置に保持されたとき、前記カムが前記留め環の外壁に当接して、前記ブラケットに対する前記閉扉保持具の留めピンの装着を前記留め板が阻止する位置へと矯正する形状に、前記カム及び前記留め環が形成されてなることを特徴とする請求項１記載のコンテナの扉ロック装置。
【請求項３】
前記ロックロッドの回転位相が、前記カムと前記留め環とが係合するための位置に保持されたとき、前記カムの、前記留め環の外壁と対向する位置に、前記カム及び前記留め環の係合を許容する高さの、突起が設けられていることを特徴とする請求項２記載のコンテナ扉のロック装置。
【請求項４】
前記閉扉保持具のブラケットは、前記留め板を挟んで対向する位置に突出する一対の突起部と、該一対の突起部に形成された、前記留めピンを挿通する穴とを含み、かつ、少なくとも一方の突起部の穴に、前記留めピンの挿通方向へと延びるスリーブを有していることを特徴とする請求項１から３のいずれか１項記載のコンテナ扉のロック装置。
【発明の詳細な説明】
【技術分野】
【０００１】
本発明は、コンテナの扉ロック装置に関するものである。
【背景技術】
【０００２】
従来から、コンテナの扉として、いわゆる観音開きのドア１２、１４が広く用いられている（図１参照）。又、扉のロック装置として、扉に対し回転自在に取り付けられ、かつ、軸回りの回転位相を変化させることで、扉のロック、アンロックを行うロックロッドを備えたものが用いられている（例えば、特許文献１参照。）。
従来の扉ロック装置１００は、図７に示されるように、観音扉１２を構成する一対の扉１２Ａ、１２Ｂ（図１参照）の一方又は双方に、上下方向に延びて回転自在に取り付けられたロックロッド１６と、ロックロッド１６の上下端部に設けられ、ロックロッド１６の回転位相に応じてコンテナ本体側に設けられた留め環２０に対し係合するカム１８とを備えている。又、カム１８が留め環２０に係合するための回転位相にロックロッド１６を保持するロックハンドル２１を備えている。カム１８と留め環２０とは、扉１２Ａを不完全に閉じた状態で一部が接触し、ロックハンドル２１を操作してロックロッド１６を回転させる。すると、留め環２０に対してカム１８が完全に係合する状態へと引き込まれ、扉１２Ａを完全に閉じる（正規の閉扉状態とする）ことが可能となっている。なお、ロックハンドル２１は、扉１２Ａに設けられた留め金であるハンドルキャッチ（図１の符号２３参照）に固定することで、ロックロッド１６の回転位相を、留め環２０に対してカム１８が完全に係合する位置にて、固定することができるようになっている。
【０００３】
又、扉ロック装置１００は、図８、図９に示されるように、一対の扉１２Ａ（１２Ｂ）を正規の閉扉状態に保持する閉扉保持具２２を備えている。この閉扉保持具２２は、一対の扉の一方１２Ａの中央寄りの端辺１２Ａａから他方の扉１２Ｂまで延びる留め板２４と、他方の扉１２Ｂに設けられたブラケット２６とを備えている。又、ブラケット２６に対し着脱自在な留めピン２８を備え、この留めピン２８は、チェーン３０によって留め板２４に連結されている。ブラケット２６は、留め板２４を挟んで対向する位置に突出する一対の突起部２６ａ、２６ｂを備え、一対の突起部２６ａ、２６ｂに、留めピン２８を挿通する穴２６ｃ、２６ｄが形成されている。そして、ブラケット２６に対する留めピン２８の装着状態において、留めピン２８により留め板２４を扉１２Ａの外側方向から抑え付けることが可能となっている。又、図８（ａ）、図９（ｂ）に示されるように、留め板２４の先端部２４ａは、開扉方向へと起こされており、留め板２４の先端部２４ａが、ブラケット２６に装着された留めピン２８に当接することで、扉１２Ａ、１２Ｂの不用意な開放を、より確実に防いでいる。
なお、上記の例では、扉のロック、アンロック操作は手動で行われるが、扉ロック装置の操作を電気的に行う手法も発案されている（例えば、特許文献２参照。）
【先行技術文献】
【特許文献】
【０００４】
【特許文献１】特開２００６−９７２５１号公報
【特許文献２】特開平０７−１１３３６４号公報
【発明の概要】
【発明が解決しようとする課題】
【０００５】
ところで、従来の扉ロック装置１００は、ロックロッド１６のカム１８と留め環２０とが完全に係合していない状態でも、閉扉保持具２２が機能してしまい、扉の開閉操作を行う作業者が、扉ロック装置１００が正規のロック状態にあるとの誤認をしてしまうケースが報告されている。
具体的には、ロックロッド１６のカム１８と留め環２０とが完全係合していない状態では、一対の扉１２Ａ、１２Ｂが完全に閉扉状態とはならず、図９（ａ）に示されるように、一対の扉１２Ａ、１２Ｂは、若干開いた状態となる。このとき、図９（ｂ）に示されるように、一対の扉の一方１２Ａの端辺１２Ａａから他方の扉１２Ｂまで延びる留め板２４は、他方の扉１２Ｂに設けられたブラケット２６の、留めピン２８を挿通する穴２６ｃ、２６ｄに対して、扉の開放方向に外れた状態となる。
【０００６】
しかしながら、一対の扉１２Ａ、１２Ｂの、開扉角度の如何によっては、図１０（ａ）に示されるように、留めピン２８がブラケット２６の上方の突起部２６ａの穴２６ｃに斜めに挿入されて、留め板２４とブラケット２６との間の空間をすり抜けてしまうことがある。又、図１０（ｂ）に示されるように、留めピン２８がブラケット２６の下方の突起部２６ｂの穴２６ｄを外れ、斜めに傾斜した状態でブラケット２６に対して装着されてしまう場合もある。更には、図１０（ｃ）に示されるように、留めピン２８が留め板２４とブラケット２６との間の空間をすり抜けて、ブラケット２６の上下の突起部２６ａ、２６ｂの穴２６ｃ、２６ｄに挿通された状態で、傾斜することなくブラケット２６に対して装着されてしまう場合もある。
【０００７】
しかも、カム１８が留め環２０に係合しているか否かと無関係に、ロックハンドル２１を操作して、ロックロッド１６を回転させることが可能であり、ロックハンドル２１がロック位置へと回転されることで、一見、扉ロック装置１００が正規のロック状態にあると誤認されてしまうこととなる。このような場合でも、閉扉保持具２２によって、一対の扉１２Ａ、１２Ｂが不用意に開放してしまうことは回避される。しかしながら、閉扉保持具２２に無理な力が加わることで、閉扉保持具２２の破損に至る虞もあることから、従来より、扉ロック装置１００のロック作業が確実に行われていることの確認作業を、厳重に行って対応している。
【０００８】
一方、扉ロック装置の操作を電気的に行うものでは、扉ロック装置によるロック状態が不完全であることをセンサにより検知することも可能であるが、他方、装置の複雑化を招き、電源の確保も必要となる等の問題が生じることとなる。
本発明は、上記課題に鑑みてなされたものであり、その目的とするところは、扉ロック装置の構成の複雑化を招くことなく、扉ロック装置による扉のロックを、より確実に行うことを可能とすることにある。
【課題を解決するための手段】
【０００９】
（発明の態様）
以下の発明の態様は、本発明の構成を例示するものであり、本発明の多様な構成の理解を容易にするために、項別けして説明するものである。又、各項は、本発明の技術的範囲を限定するものではない。よって、発明を実施するための最良の形態を参酌しつつ、各項の構成要素の一部を置換し、削除し、又は、更に他の構成要素を付加したものについても、本願発明の技術的範囲に含まれ得るものである。
【００１０】
（１）観音扉が設けられたコンテナの扉ロック装置であって、前記観音扉を構成する一対の扉の少なくとも一方に、回転自在に取り付けられたロックロッドと、該ロックロッドの端部に設けられ、該ロックロッドの回転位相に応じてコンテナ本体側に設けられた留め環に対し係合するカムと、該カムが前記留め環に係合するための回転位相に前記ロックロッドを保持するロックハンドルと、前記一対の扉を正規の閉扉状態に保持する閉扉保持具とを含み、
該閉扉保持具は、前記一対の扉の一方の端辺から他方の扉まで延びる留め板と、前記他方の扉に設けられたブラケットと、該ブラケットに対し着脱自在、かつ、該ブラケットに対する装着状態において、前記留め板を扉の外側方向から抑え付ける留めピンとを含み、
前記ロックロッドに、前記カムが前記留め環に対して非係合の状態で、前記ロックロッドの回転位相が、前記カムと前記留め環とが係合するための位置に保持されたとき、前記ブラケットに対する前記留めピンの装着を前記留め板が阻止する位置となるように、前記留め板を備える扉の開扉角度を矯正する矯正手段を設けたコンテナの扉ロック装置（請求項１）。
【００１１】
本項に記載のコンテナの扉ロック装置は、観音扉を構成する一対の扉の少なくとも一方に、回転自在に取り付けられたロックロッドを、ロックハンドルを操作して回転させ、ロックロッドの端部に設けられたカムを、ロックロッドの回転位相に応じてコンテナ本体側に設けられた留め環に対し係合させることで、扉を閉扉状態にロックするものである。
又、一対の扉を正規の閉扉状態に保持する閉扉保持具を含み、この閉扉保持具を構成する、一対の扉の一方の端辺から他方の扉まで延びる留め板を、他方の扉に設けられたブラケットに対し装着した留めピンによって、扉の外側方向から抑え付けることで、閉扉状態にロックされた一対の扉を、閉扉状態に保持するものである。
【００１２】
しかも、本項のコンテナの扉ロック装置は、留め板を備える扉の開扉角度を矯正する矯正手段を備えている。この矯正手段は、ロックロッドのカムが、留め環に対して非係合の状態で、ロックロッドの回転位相が、カムと留め環とが係合するための位置に保持されたとき、ロックロッドの回転位相に応じて、ブラケットに対する留めピンの装着を留め板が阻止する位置となるように、留め板を備える扉の開扉角度を矯正するものである。そして、閉扉保持具の留めピンをブラケットに装着することが不可能となることで、扉ロック装置が正規のロック状態にないことを、作業者に認識させるものである。
【００１３】
（２）上記（１）項において、前記矯正手段は、前記カム及び前記留め環が互いに非係合の状態で、前記ロックロッドの回転位相が、前記ロックハンドルにより前記カムと前記留め環とが係合するための位置に保持されたとき、前記カムが前記留め環の外壁に当接して、前記ブラケットに対する前記閉扉保持具の留めピンの装着を前記留め板が阻止する位置へと矯正する形状に、前記カム及び前記留め環が形成されてなるコンテナの扉ロック装置（請求項２）。
【００１４】
本項に記載のコンテナの扉ロック装置は、矯正手段が、カム及び留め環によって形成されるものである。すなわち、カム及び留め環が互いに非係合の状態で、ロックロッドの回転位相が、ロックハンドルによってカムと留め環とが係合するための位置に保持されたとき、カムが留め環の外壁に当接して、ブラケットに対する閉扉保持具の留めピンの装着を留め板が阻止する位置へと、留め板を備える扉の開扉角度を矯正する形状に、カム及び留め環が形成されている。そして、閉扉保持具の留めピンをブラケットに装着することが不可能となることで、扉ロック装置が正規のロック状態にないことを、作業者に認識させるものである。
【００１５】
（３）上記（２）項において、前記ロックロッドの回転位相が、前記ロックハンドルにより前記カムと前記留め環とが係合するための位置に保持されたとき、前記カムの、前記留め環の外壁と対向する位置に、前記カム及び前記留め環の係合を許容する高さの、突起が設けられているコンテナ扉のロック装置（請求項３）。
【００１６】
本項に記載のコンテナの扉ロック装置は、ロックロッドの回転位相が、カムと留め環とが係合するための位置に保持されたとき、カムの、留め環の外壁と対向する位置に設けられた突起が、留め環の外壁に当接して、ブラケットに対する閉扉保持具の留めピンの装着を留め板が阻止する位置へと、留め板を備える扉の開扉角度を矯正するものである。なお、カムの、留め環の外壁と対向する位置に設けられた突起は、カム及び留め環の係合を許容する高さに設けられていることから、カムと留め環との正規の係合状態が阻害されるものでもない。
【００１７】
（４）上記（１）から（３）項において、前記閉扉保持具のブラケットは、前記留め板を挟んで対向する位置に突出する一対の突起部と、該一対の突起部に形成された、前記留めピンを挿通する穴とを含み、かつ、少なくとも一方の突起部の穴に、前記留めピンの挿通方向へと延びるスリーブを有しているコンテナ扉のロック装置（請求項４）。
【００１８】
本項に記載のコンテナの扉ロック装置は、閉扉保持具のブラケットが、留め板を挟んで対向する位置に突出する一対の突起部と、一対の突起部に形成された、留めピンを挿通する穴とを含んでおり、一対の突起部の穴に留めピンが挿通されることで、留めピンにより留め板を扉の外側方向から抑え付けるものである。
しかも、少なくとも一方の突起部の穴に設けられた、留めピンの挿通方向へと延びるスリーブに留めピンが挿通されることで、留めピンはスリーブの内壁面にその挿通姿勢が矯正され、双方の突起部の穴へと挿通されることとなる。そして、ブラケットに対する閉扉保持具の留めピンの装着を留め板が阻止する状態にあるとき、留めピンが留め板をすり抜けることなく、留め板に当接する。よって、留めピンをブラケットに装着することが不可能となることで、扉ロック装置が正規のロック状態にないことを、作業者に認識させるものとなる。
【発明の効果】
【００１９】
本発明はこのように構成したので、扉ロック装置の構成の複雑化を招くことなく、扉ロック装置による扉のロックを、より確実に行うことが可能となる。
【図面の簡単な説明】
【００２０】
【図１】本発明の実施の形態に係る扉ロック装置を備えるコンテナを示すものであり、（ａ）は平面図、（ｂ）は観音扉を具備する側面図、（ｃ）は観音扉を具備する妻面図である。
【図２】本発明の実施の形態に係るコンテナの扉ロック装置の、ロックロッドの単体図であり、（ａ）は正面図、（ｂ）は（ａ）のＢ−Ｂ断面図、（ｃ）は（ａ）のＣ−Ｃ断面図である。
【図３】図２に示されるロックロッドの下端部に設けられたカムの単体図であり、（ａ）は正面図、（ｂ）は下面図、（ｃ）は側面図である。
【図４】本発明の実施の形態に係るコンテナの扉ロック装置の、閉扉保持具を示すものであり、（ａ）は平面図、（ｂ）は側面図、（ｃ）は正面図である。
【図５】本発明の実施の形態に係るコンテナの扉ロック装置の、留め板を備える扉の開扉角度を矯正する矯正手段の機能を説明するものであり、（ａ）はカムが留め環に対して非係合の状態で、ロックロッドの回転位相が、カムと留め環とが係合するための位置に保持された様子を示す平面図、（ｂ）〜（ｄ）は扉及び閉扉保持具を示す部分段面図であり、ブラケットに対する留めピンの装着を留め板が阻止する位置が、カムに設けられた突起の高さに応じて異なることを示すものである。
【図６】本発明の実施の形態に係るコンテナの扉ロック装置の、閉扉保持具を示すものであり、（ａ）は閉扉保持具が正しく機能している状態を示す正面図、（ｂ）は、ブラケットに対する留めピンの装着が留め板により阻止された状態を示す正面図である。
【図７】従来のコンテナの扉ロック装置の、扉と、ロックロッドと、ロックロッド上下端部に設けられたカムと、コンテナ本体側に設けられた留め環と、ロックハンドルとを示す横断面図である。
【図８】従来のコンテナの扉ロック装置の、閉扉保持具を示すものであり、（ａ）は平面図、（ｂ）は正面図である。
【図９】従来のコンテナにおいて、一対の扉が完全に閉扉せず、若干開いた状態となっている状態を示すものであり、（ａ）はコンテナ側面と共に示した扉の横断面図、（ｂ）は要部拡大図である。
【図１０】（ａ）〜（ｃ）は、従来の扉ロック装置において、ロックロッドのカムと留め環とが完全に係合していない状態でも、閉扉保持具が機能してしまう態様を示す説明図である。
【発明を実施するための形態】
【００２１】
以下、本発明を実施するための形態を添付図面に基づいて説明する。なお、従来技術と同一部分、若しくは相当する部分については、同一符号を付して詳しい説明を省略する。
図１には、本発明の実施の形態に係るコンテナ１０が示されている。このコンテナ１０は、側面の一面と妻面の一面とに、各々、観音扉１２、１４が設けられている。そして、観音扉１２、１４の各々に、扉ロック装置３２が設けられている。以下の説明では、便宜上、観音扉１２の扉ロック装置３２を中心に説明するが、コンテナ妻面の観音扉１４にも、同様の扉ロック装置が設けられているものである。
【００２２】
扉ロック装置３２は、観音扉１２を構成する一対の扉１２Ａ、１２Ｂに、回転自在に取り付けられたロックロッド１６と、ロックロッド１６の端部に設けられたカム１８と、カム１８が、コンテナ本体側に設けられた留め環２０と、ロックロッド１６を回転操作するためのロックハンドル２１と、一対の扉１２Ａ、１２Ｂを正規の閉扉状態に保持する閉扉保持具２２とを含むものである。なお、ロックハンドル２１は、扉１２Ａに設けられたハンドルキャッチ２３に固定されることで、カム１８が留め環２０に係合するための回転位相に、ロックロッド１６を保持するようになっている。
本実施の形態では、図２に示されるように、ロックロッド１６は中空円筒状をなしており、その両端部に図３に示される、ロックロッド１６とは別体のカム１８を固定するようになっている。なお、図２に符号１６ａで示される部分は、ロックハンドル２１を軸着するための取付座である。又、図３に符号１８ｂで示される部分は、中空管からなるロックロッド１６に挿入することで、カム１８をロックロッド１６に固定するための嵌合部である。
【００２３】
閉扉保持具２２は、図４に示されるように、扉１２Ａの端辺１２Ａａから他方の扉１２Ｂまで延びる留め板２４と、他方の扉１２Ｂに設けられたブラケット２６と、ブラケット２６に対し着脱自在、かつ、ブラケット２６に対する装着状態において、留め板２４を扉の外側方向から抑え付ける留めピン２８とを含んでいる。
更に、本発明の実施の形態では、図５（ａ）に示されるように、ロックロッド１６に、カム１８が留め環２０に対して非係合の状態で、ロックロッド１６の回転位相が、カム１８と留め環２０とが係合するための位置に保持されたとき、図５（ｂ）〜（ｄ）に示されるように、ブラケット２６に対する留めピン２８の装着を留め板２４が阻止する位置となるように、留め板２４を備える扉１２Ａの開扉角度を矯正する、矯正手段を備えている。
【００２４】
この矯正手段は、本発明の実施の形態では、カム１８に設けられた突起１８ａ（図３参照）と、留め環２０とで構成されるものである。突起１８ａは、図５に示されるように、ロックロッド１６の回転位相が、カム１８と留め環とが係合するための位置に保持されたとき、カム１８の、留め環２０の外壁２０ａと対向する位置に、カム１８及び留め環の係合を許容する高さで設けられている。なお、図示の例では、カム１８に対して別体の突起１８ａを固定する態様となっているが、突起１８ａを、予めカム１８の一体の連続形状として形成することとしても良く、カム１８自体の肉厚を増大させて、突起１８ａの機能を担持させることとしても良い。一方、留め環２０は図５（ａ）、図７に示されるように、断面コ字状の金具であり、コ字状の両端部がコンテナ本体側に固定されることで、コンテナの側辺と平行な方向に延びる内筒部２０ｂが形成されるものである。
又、カム１８の突起１８ａの突出量を適切に調整することにより、図５（ｂ）〜（ｄ）に示されるように、留め板２４はブラケット２６の突起部２６ａに形成された穴２６ｃに架かる位置へと、扉１２Ａの開扉角度を調整するものである。
【００２５】
又、本実施の形態では、観音扉１２を構成する一対の扉１２Ａ、１２Ｂのうち、一方の扉１２Ａの中央寄りの端辺１２Ａａに、シール部材１３（図５（ｂ）〜（ｄ）参照）が固定され、このシール部材１３がもう一方の扉１２Ｂを外側から覆うように構成されている。そして、閉扉手順は、扉１２Ｂを閉じた後に扉１２Ａを閉じる手順となる。従って、一方の扉１２Ａが正規の閉扉状態となれば、もう一方の扉１２Ｂは必然的に正規の閉扉状態になっていることが一目瞭然となる。このため、突起１８ａを有するカム１８は、少なくとも、一方の扉１２Ａの中央寄りの端辺１２Ａａに近いロックロッド１６の、下端部又は上端部のカム１８に設けられることで、本発明所定の効果を得ることが可能である。特に、ロックロッド１６の、下端部のカム１８に突起１８ａを設けることとすれば、コンテナ１０を車両に搭載した状態でも、扉の開閉操作を行う作業者による、目視確認の容易な位置に、カム１８及び留め環２０が位置することとなる。よって、カム１８及び留め環２０が正しく係合しているか否かの確認作業が容易となり、扉ロック装置３２が正規のロック状態にあるか否かを、作業者により確実に認識させるものとなる。
なお、図示は省略するが、突起１８ａを有するカム１８を、一方の扉１２Ａの側端寄りのロックロッド１６に設けることとすれば、突起１８ａ及び留め環２０の接触点と、扉１２Ａを軸支するヒンジとの距離が近づくことから、上述のごとき扉１２Ａの開扉角度の矯正効果は、より顕著なものとなる。又、妻面の観音扉１４においても上記と同様である（図１の符号３２参照）。
【００２６】
更に、図４に示されるように、閉扉保持具２２のブラケット２６は、留め板２４を挟んで対向する位置に突出する一対の突起部２６ａ、２６ｂと、一対の突起部２６ａ、２６ｂに形成された、留めピンを挿通する穴２６ｃ、２６ｄとを含むものである。しかも、本発明の実施の形態では、上方の突起部２６ａの穴２６ｃに、留めピン２８の挿通方向（上下方向）へと延びるスリーブ３４を有している。
そして、扉１２Ａ、１２Ｂを閉じて、カム１８及び留め環２０を係合させることで、図４に示されるように、一方の扉１２Ａに設けられた留め板１４が、もう一方の扉１２Ｂに固定されたブラケット２６の一対の突起部２６ａ、２６ｂの間に位置することとなる。この状態で、図４（ｃ）に示されるように、ブラケット２６の上方から、上側の突起部２６ａのスリーブ３４が設けられた穴２６ｃに、留めピン２８を挿通する。スリーブ３４に挿通された留めピン２８は、スリーブ３４の内壁に案内されて、下側の突起部２６ｂの穴２６ｄへと挿通されることとなる。そして、留め板２４が、扉の外側方向から留めピン２８によって抑え付けられる。
【００２７】
さて、上記構成を有する本発明の実施の形態によれば、次のような作用効果を得ることが可能となる。
すなわち、本発明の実施の形態に係るコンテナの扉ロック装置３２は、留め板２４を備える扉１２Ａの開扉角度を矯正する矯正手段を備えるものである。この矯正手段は、図５ａ）に示されるように、ロックロッド１６のカム１８が、留め環２０に対して非係合の状態で、ロックロッド１６の回転位相が、カム１８と留め環２０とが係合するための位置に保持されたとき、ロックロッド１６の回転位相に応じて、ブラケット２６に対する留めピン２８の装着を、留め板２４が阻止する位置となるように、留め板２４を備える扉１２Ａの開扉角度を矯正するものである。そして、閉扉保持具２２の留めピン２８をブラケット２６に装着することが不可能となることで、扉ロック装置３２が正規のロック状態にないことを、作業者に認識させることが可能となる。
【００２８】
又、本発明の実施の形態に係るコンテナの扉ロック装置３２は、矯正手段が、カム１８及び留め環２０によって形成されるものである。すなわち、カム１８及び留め環２０が互いに非係合の状態で、ロックロッド１６の回転位相が、カム１８と留め環２０とが係合するための位置に保持されたとき、カム１８が留め環２０の外壁２０ａに当接して、ブラケット２６に対する閉扉保持具２２の留めピン２８の装着を留め板２４が阻止する位置へと、留め板２４を備える扉１２Ａの開扉角度を矯正する形状に、カム１８及び留め環２０が形成されている。そして、閉扉保持具２２の留めピン２８をブラケット２６に装着することが不可能となることで、扉ロック装置３２が正規のロック状態にないことを、作業者に認識させることが可能となる。
【００２９】
又、本発明の実施の形態に係るコンテナの扉ロック装置３２は、ロックロッド１６の回転位相が、カム１８と留め環２０とが係合するための位置に保持されたとき、カム１８の、留め環２０の外壁２０ａと対向する位置に設けられた突起１８ａが、留め環２０の外壁２０ａに当接して、ブラケット２６に対する閉扉保持具２２の留めピン２８の装着を留め板２４が阻止する位置へと、留め板２４を備える扉１２Ａの開扉角度を矯正することが可能となる。なお、カム１８の突起１８ａは、カム１８及び留め環２０の係合を許容する高さに設けられていることから、カム１８と留め環２０との正規の係合状態が、阻害されるものでもない。
【００３０】
そして、本発明の実施の形態に係るコンテナの扉ロック装置３２は、閉扉保持具２２のブラケット２６が、留め板２４を挟んで対向する位置に突出する一対の突起部２６ａ、２６ｂと、一対の突起部２６ａ、２６ｂに形成された、留めピン２８を挿通する穴２６ｃ、２６ｄとを含んでおり、一対の突起部２６ａ、２６ｂの穴２６ｃ、２６ｄに留めピン２８が挿通されることで、留めピン２８により留め板２４を扉１２Ａの外側方向から抑え付けるものである。
しかも、一方の突起部２６ａの穴２６ｃに設けられた、留めピン２８の挿通方向へと延びるスリーブ３４に留めピン２８が挿通されることで、留めピン２８はスリーブ３４の内壁面にその挿通姿勢が矯正され、双方の突起部２６ａ、２６ｂの穴２６ｃ、２６ｄへと挿通されることとなる。そして、ブラケット２６に対する閉扉保持具２２の留めピン２８の装着を留め板２４が阻止する状態にあるとき、留めピン２８が留め板２４をすり抜けることなく、留め板２４に当接する。よって、図６（ｂ）に示されるように、留めピン２８をブラケットに装着することが不可能となることで、扉ロック装置３２が正規のロック状態にないことを、作業者に認識させることが可能となる。
【符号の説明】
【００３１】
１０：コンテナ、  １２、１４：観音扉、  １２Ａ、１２Ｂ、１４Ａ、１４Ｂ：扉、１６：ロックロッド、１８：カム、１８ａ：突起、２０：留め環、２１：ロックハンドル、  ２２：閉扉保持具、２４：留め板、２６：ブラケット、  ２６ａ、２６ｂ：突起部、  ２６ｃ、２６ｄ：穴、２８：留めピン、３２：扉ロック装置、３４：スリーブ
【図１】
0005964041.tif 000002
【図２】
0005964041.tif 000003
【図３】
0005964041.tif 000004
【図４】
0005964041.tif 000005
【図５】
0005964041.tif 000006
【図６】
0005964041.tif 000007
【図７】
0005964041.tif 000008
【図８】
0005964041.tif 000009
【図９】
0005964041.tif 000010
【図１０】
0005964041.tif 000011